(57)【要約】【課題】傾斜した地盤（特に、東西方向に傾斜した地盤）において容易に組み付けることができる上、構造強度が高く、長期間に亘って使用可能な太陽電池モジュール設置用架台を提供する。【解決手段】太陽電池モジュール設置用架台１は、上記の如く、前方支柱２，２および後方支柱３，３の上端に、水平面７ａおよび傾斜した支承面（第一支承面７ｂ、第二支承面７ｄ）とを有する梁留め金具７が、その水平面７ａを当着させた状態で固着されており、前列梁材４および後列梁材５が、その下面を支承部材７の傾斜した支承面（第一支承面７ｂ、第二支承面７ｄ）に当着させて左右（東西方向）に傾斜した状態で、前方支柱２，２および後方支柱３，３の上端に固着されている。【選択図】図１
2017017937.tif 000002
【特許請求の範囲】
【請求項１】
複数の矩形の太陽電池モジュールを傾斜状に並べて設置するための太陽電池モジュール設置用架台であって、被数の前方支柱が、所定の間隔を隔てて立設されており、それらの前方支柱の上端に跨がるように長尺な前列梁材が掛け渡されているとともに、
前記前方支柱よりも長尺な複数の後方支柱が、前記各前方支柱の後方に所定の間隔を隔てて立設されており、それらの後方支柱の上端に跨がるように長尺な後列梁材が掛け渡されており、かつ、
棒状で複数の母屋材が、前記前列梁材と前記後列梁材とに懸架されて傾斜した状態で、前列梁材および後列梁材の長手方向に沿って所定の間隔で平行に設置された構造を有しており、
前方支柱および後方支柱の上端に、水平面と傾斜した支承面とを有する支承部材が、その水平面を当着させた状態で固着されており、
前記前列梁材および前記後列梁材が、その下面を前記支承部材の支承面に当着させて前記母屋材と直交する方向において傾斜した状態で、前方支柱および後方支柱の上端に固着されていることを特徴とする太陽電池モジュール設置用架台。
【請求項２】
前記支承部材が、同一平面をなす２つの支承面を水平面の左右に段違いに設けたものであることを特徴とする請求項１に記載の太陽電池モジュール設置用架台。
【請求項３】
前記前列梁材および前記後列梁材が、いずれもＨ形鋼であり、
前記支承部材の前後幅が、それらの前列梁材および前期後列梁材のフランジの幅よりも広くなっているとともに、
前記長前方支柱および前記後方支柱の上端に、支持板が溶接されており、
前記支承部材が、前記前列梁材あるいは前記後列梁材の前後の外側において、前記支持板に螺着されていることを特徴とする請求項１、または請求項２に記載の太陽電池モジュール設置用架台。
【発明の詳細な説明】
【技術分野】
【０００１】
本発明は、扁平な直方体状に形成された複数の太陽電池モジュールを設置するための架台に関するものである。
【背景技術】
【０００２】
近年、太陽電池を利用した太陽光発電が注目されているが、効率良く太陽光発電をするためには、多数の扁平な直方体状の太陽電池（太陽電池モジュール）を設置して太陽光に曝した状態で保持する架台が必要となる。そのような太陽電池モジュール設置用の架台としては、特許文献１の如く、複数の杭兼用柱と、杭兼用柱に取り付けられて互いに平行に延びる複数の大引材と、複数の大引材の上側に取り付けられて大引材に直交する複数の根太材とを具備しており、複数の根太材の上側に太陽電池モジュールを取り付け可能に構成したものが知られている。
【先行技術文献】
【特許文献】
【０００３】
【特許文献１】特開２０１５−１０４１５６号公報
【発明の概要】
【発明が解決しようとする課題】
【０００４】
しかしながら、上記特許文献１の太陽電池モジュール設置用の架台は、各杭兼用柱の上端に梁部材をボルトとナットとによって単純にネジ止めする構造であるため、平坦な地盤においては容易に組み付けられるものの、東西方向に傾斜した地盤においては、各杭兼用柱に対して、大引材を斜めに配置させなければならないため、容易に設置することができない。また、杭兼用柱に対して大引材を斜めにした状態で、無理矢理にネジ止めすると、構造強度が低下して、長期間の使用に耐えられなくなってしまう。
【０００５】
本発明の目的は、上記従来の太陽電池モジュール設置用の架台（以下、単に架台という）が有する問題点を解消し、傾斜した地盤(特に、東西方向に傾斜した地盤)において容易に組み付けることができる上、構造強度が高く、長期間に亘って使用可能な架台を提供することにある。
【課題を解決するための手段】
【０００６】
本発明の内、請求項１に記載された発明は、複数の矩形の太陽電池モジュールを傾斜状に並べて設置するための架台であって、複数の前方支柱が、所定の間隔を隔てて立設されており、それらの前方支柱の上端に跨がるように長尺な前列梁材が掛け渡されているとともに、前記前方支柱よりも長尺な複数の後方支柱が、前記各前方支柱の後方に所定の間隔を隔てて立設されており、それらの後方支柱の上端に跨がるように長尺な後列梁材が掛け渡されており、かつ、棒状で復数の母屋材が、前記前列梁材と前記後列梁材とに懸架されて傾斜した状態で、前列梁材および後列梁材の長手方向に沿って所定の間隔で平行に設置された構造を有しており、前方支柱および後方支柱の上端に、水平面と傾斜した支承面とを有する支承部材が、その水平面を当着させた状態で固着されており、前記前列梁材および前記後列梁材が、その下面を前記支承部材の支承面に当着させて前記母屋材と直交する方向（すなわち、東西方向）において傾斜した状態で、前方支柱および後方支柱の上端に固着されていることを特徴とするものである。
【０００７】
請求項２に記載された発明は、請求項１に記載された発明において、前記支承部材が、同一平面をなす２つの支承面を水平面の左右に段違いに設けたものであることを特徴とするものである。
【０００８】
請求項３に記載された発明は、請求項１、または請求項２に記載された発明において、前記前列梁材および前記後列梁材が、いずれもＨ形鋼であり、前記支承部材の前後幅が、それらの前記前列梁材および前記後列梁材のフランジの幅よりも広くなっているとともに、前記前方支柱および前記後方支柱の上端に、支持板が溶接されており、前記支承部材が、前記前列梁材あるいは前記後列梁材の前後の外側において、前記支持板に螺着されていることを特徴とするものである。
【発明の効果】
【０００９】
請求項１に記載の架台は、梁材（前列梁材および後列梁材）が、その下面を支承部材の支承面に当着させて左右に傾斜した状態で、支柱（前方支柱および後方支柱）の上端に固着されているものであるため、東西方向に傾斜している地盤においてもその傾斜に合わせて容易に設置することができる。そして、東西方向に傾斜角度に合わせて支承面の傾斜角度を変えた支承部材を用いるだけで（すなわち、支承部材を変えるだけで）、その他の部材は同じままで、（東西方向の傾斜角度が）どのような斜面にも対応させて設置することができる。また、梁材の下端面が支承部材の左右の支承面と接合した状態で、梁材が支承部材を介して支柱に固着されるので、構造強度が高く、太陽光モジュールを長期間に亘って確実に保持することができる。
【００１０】
請求項２に記載の架台は、支承部材が同一平面をなす２つの支承面を水平面の左右に段違いに設けたものであり、支承部材の形成が容易であるため、安価に製造することができる。また、支柱の左右でバランス良く梁材（前列梁材および後列梁材）を支えることができるので、構造強度が非常に高い。
【００１１】
請求項３に記載の架台は、梁材（前列梁材および後列梁材）がいずれもＨ形鋼であり、支承部材の前後幅が、それらの梁材のフランジの幅よりも広くなっているとともに、支柱（前方支柱および後方支柱）の上端に、支持板が溶接されており、支承部材が、梁材の前後の外側において、支持板に螺着されているため、支持板と支承部材との螺着位置を変更することによって、支柱と梁材との固着位置（螺着位置や溶接位置）が合致しない事態、を回避して、構築を容易なものとすることができる。
【図面の簡単な説明】
【００１２】
【図１】架台の斜視図である。
【図２】架台の正面図である。
【図３】架台の平面図である。
【図４】架台の右側面図（拡大図）である。
【図５】支柱（前方支柱あるいは後方支柱）と梁材（前列梁材あるいは後列梁材）との固着部分（図２における円形部分）を拡大して示す説明図（正面図）である。
【図６】支柱（前方支柱あるいは後方支柱）と梁材（前列梁材あるいは後列梁材）との固着部分（図２における円形部分）を拡大して示す説明図（平面図）である。
【図７】支承部材を示す説明図である（ａは正面図であり、ｂは平面図である）
【図８】架台の使用状態を示す説明図（斜視図）である。
【発明を実施するための形態】
【００１３】
＜架台の構造＞
以下、本発明に係る架台の一実施形態について、図面に基づいて詳細に説明する。図１〜４は、架台（１ユニット）を示したものであり、架台１は、図２の如く、東西方向（図２の左右方向）に傾斜した地盤Ｇ（ここでは、西下がりに１０°傾斜しているものとする）に設置するものであり、支柱（前方支柱２，２、後方支柱３，３）、梁材（前列梁材４、後列梁材５）、支承部材として機能する梁留め金具７，７・・、および、母屋材６，６・・、母屋留め金具８，８・・等を組み付けることによって一体的に形成されている。なお、前方支柱２，２および後方支柱３，３、前列梁材４、後列梁材５、梁留め金具７、母屋材６，６・・、母屋留め金具８，８・・、および、それらを結合させるための部材は、いずれも鋼鉄製であり、表面に防錆処理が施されている。
【００１４】
図５は、後方支柱３を示したものであり、各後方支柱３，３は、所定の外径・厚さ（１０１．６ｍｍ、厚さ４.０ｍｍ）を有する円筒状の鋼管であり、１，３００ｍｍの長さを有している。そして、下端際の外周には、外径１３９．８ｍｍ（内径１０１．６ｍｍ）で厚さ６ｍｍの円形フランジ状（ドーナッツ状）の先端翼９が突設（溶接）されており、下端から４００ｍｍ上方の外周には、外径１８０．０ｍｍ（内径１０１．６ｍｍ）で厚さ６ｍｍの円形フランジ状（ドーナッツ状）の先端翼１０が突設（溶接）されている。
【００１５】
一方、各前方支柱２，２は、各後方支柱３，３と異なり、９００ｍｍの長さを有している。それ以外の各前方支柱２，２の構造は、各後方支柱３，３と同様である。
【００１６】
上記の如く構成された後方支柱３，３（あるいは前方支柱２，２）を、地盤Ｇに立て込む際には、後方支柱３，３（あるいは前方支柱２，２）の周囲に、セメント含有柱状体１９を形成して、その略中心に後方支柱３，３（あるいは前方支柱２，２）を位置させる。
【００１７】
すなわち、後方支柱３を地盤Ｇに立て込む際には、先端に掘削装置（オーガー）を掘削機（重機）のロットに取り付けて、当該ロットを、後方支柱３の立て込み位置にセットする。そして、ロットの先端の掘削装置を地盤Ｇの表面に突き立てて、プラント車によって供給されるセメントスラリー（セメント固化材と水との混合物）を、掘削装置の刃先から噴出させながらロットを回転させることによって地盤Ｇを掘削し、所定の大きさ（たとえば、直径約５００ｍｍφ、深さ約６００ｍｍ）の鉛直な縦穴を形成するとともに、その縦穴の内部で、掘削した土壌（現状土）とセメントスラリーとが均一に混合されたセメント混合土からなるセメント含有柱状体（固化前）１９を形成する。
【００１８】
しかる後、その未固化のセメント含有柱状体１９の略中心に、後方支柱３の先端側を突っ込んで、後方支柱３の上部が所定の長さ（８１６ｍｍ）だけ地表から露出した状態になるように鉛直に押し込む（立て込む）。なお、そのように未固化のセメント含有柱状体１９の内部に後方支柱３を立て込む際には、同様の方法で立て込む他の後方支柱３や前方支柱２，２との相対的な位置が正しい位置となるように調整する。そして、後方支柱３をセメント含有柱状体１９内に立て込んだ後には、十分な時間をかけてセメント含有柱状体１９を養生して固化させる。
【００１９】
一方、前方支柱２，２は、同様な方法により、上部が所定の長さ（４０１ｍｍ）だけ地表から露出した状態になるように立て込む。なお、前方支柱２，２を後方支柱３，３よりも南側に位置させる（すなわち、左右同側の前方支柱２と後方支柱３とを結ぶ線が南北方向を向くように、前方支柱２，２および後方支柱３，３を位置させる）。
【００２０】
そして、上記の如く立て込まれた後方支柱３，３を利用して、長尺な後列梁材５が設置されており、上記の如く立て込まれた前方支柱２，２を利用して、長尺な前列梁材４が設置されている。図５、図６は、後方支柱３（あるいは前方支柱２）と後列梁材５（あるいは前列梁材４）との連結部分を拡大して示したものである。
【００２１】
後方支柱３，３および前方支柱２，２の上端には、支持板として機能する矩形の平板状の支持プレート１１が後方支柱３（あるいは前方支柱２）の軸心と直交するように溶接されている。支持プレート１１は、厚さ９．０ｍｍの鋼鉄板を裁断することによって、前後２５０ｍｍ×左右１７０ｍｍの矩形に形成されており、左右の中央で前後の両端際には、幅１８．０ｍｍのボルト挿通長孔１２，１２が長手方向を左右方向に一致させた状態で穿設されている。当該支持プレート１１は、中心を後方支柱３（あるいは前方支柱２）の軸心に合致させた状態で、裏面と後方支柱３（あるいは前方支柱２）の上端との接合部分を溶接することによって、後方支柱３（あるいは前方支柱２）に固着されており、支持プレート１１の板面と後方支柱３（あるいは前方支柱２）の軸心とが直交した状態になっている。
【００２２】
さらに、その支持プレート１１の上側には、支承部材として機能する梁留め金具７が、その中央部分を支持プレート１１に重ね合わせた状態で、螺着されている。図７は、梁留め金具７を示したものであり、梁留め金具７は、厚さ９．０ｍｍの鋼鉄抜を裁断してなる左右３２３ｍｍ×前後２７０ｍｍの矩形板を、所定の位置で折り曲げることによって形成されている。そして、中央の１７５ｍｍ幅の部分が水平になっており（以下、水平面７ａという）、その左側の５２ｍｍ幅の部分が、左下がりに１０°傾斜するように折り曲げられている（以下、第一支承面７ｂという）。また、水平面７ａの右側の４４ｍｍ幅の部分が、左下がりに４５°傾斜するように折り曲げられており（以下、段差部７ｃという）、さらに、その段差部７ｃの右側の５２ｍｍ幅の部分が、段差部７ｃに対して、右下がりに３５°傾斜するように折り曲げられている（以下、第二支承面７ｄという）それゆえ、第二支承面７ｄは、水平面７ａに対して、左下がりに１０°傾斜しており、第一支承面７ｂと第二支承面７ｄとは、同一面上に位置した状態になっている。また、梁留め金具７の左右の中央で前後の両端際には、幅１８．０ｍｍのボルト挿通長孔１３，１３が、長手方向を前後方向に合致させた状態で穿設されている。さらに、第一支承面７ｂ、第二支承面７ｄの前後方向の中央付近には、それぞれ、直径１４.０ｍｍの２個のボルト挿通孔１４，１４が、所定の間隔で前後に並んで穿設されている。
【００２３】
当該梁留め金具７は、支持プレート１１の上に、概ね中心を合わせて前後左右の突出長さが同じになるように重ねると、支持プレート１１の各ボルト挿通長孔１２，１２の中央に、それぞれ、梁留め金具７のボルト挿通孔１３，１３が位置し、各ボルト挿通長孔１２，１２とボルト挿通長孔１３，１３とが直交するようになっている（図６参照）。そして、それらのボルト挿通長孔１２，１２の穿設部分と、ボルト挿通長孔１３，１３の穿設部分とを、ボルトＢとナットＮとによって螺着することによって支持プレート１１に対して梁留め金具７が固着されている。
【００２４】
一方、後列梁材５および前列梁材４は、同一形状の長尺な（長さ＝９，３５０ｍｍの）Ｈ形鋼であり、上下のフランジ部分１８，１８の厚み、幅が、それぞれ、７．０ｍｍ、７５ｍｍであり、ウェプ部分の厚み、幅が、それぞれ、５．０ｍｍ、１９８．０ｍｍである。そして、表面には、防錆処理が施されている。また、下側のフランジ１８には（ウェブ部分の前後において）、それぞれ、所定の間隔で、梁留め金具７，７・・と螺着させるための直徒１８．０ｍｍの円形のボルト挿通孔１５，１５・・が穿設されている。一方、上側のフランジ１８には（ウェブ部分の前後において）、それぞれ、所定の間隔で、母屋材６，６・・と螺着させるためのボルト挿通孔１６，１６・・が穿設されている。
【００２５】
そして、後列梁材５および前列梁材４は、左右の端縁から所定の長さだけ内側の部分（ボルト挿通孔１５，１５の穿設部分）を、それぞれ、支柱（後方支柱３，３および前方支柱２，２）の上端の支持プレート１１に固着された梁留め金具７の第一支承面７ｂおよび第二支承面７ｄに載置させた状態で、フランジ１８のボルト挿通孔１５，１５・・の穿設部分と、梁留め金具７，７・・のボルト挿通孔１４，１４・・の穿設部分とを、ボルトＢとナットＮとによって螺着することによって、所定の角度（１０°）で左下がりに傾斜した状態で、各支柱（後方支柱３，３および前方支柱２，２）に固定された梁留め金具７，７・・に固着されている。
【００２６】
さらに、それらの後列梁材５、前列梁材４に、金属板をＬ字状に折り曲げ形成してなる係着部材１７，１７・・を利用して、１２本の母屋材６，６・・が、それぞれ、所定の角度（１０°）で前下がりに傾斜した状態となるように螺着されている（図１、図２、図４等参照）。すなわち、係着部材１７の水平板のボルト挿通孔の穿設部分を、後列梁材５（あるいは前列梁材４）のボルト挿通孔１８，１８の穿設部分と螺着するとともに、係着部材１７の鉛直板のボルト挿通孔の穿設部分を、母屋材６の側面のボルト挿通孔の穿設部分と螺着することによって、後列梁材５および前列梁材４に、各母屋材６，６・・が固着されている。
【００２７】
それらの１２本の母屋材６，６・・は、いずれも軽みぞ形鋼であり、２本ずつ、上下の辺の突出側を向かい台わせて所定の距離（９６７ｍｍ）を隔てて対峙して１つのセットになった状態で、前列梁材４および後列梁材５と直交するように固着されている。そして、１セットとなった母屋材６，６が、他のセットと所定の距離（６８３ｍｍ）を隔てた状態になっている。また、それらの各母屋材６，６・・には、長手方向に沿って等間隔で、太陽電池モジュールと螺着させるためのモジュール螺着用孔（図示せず）が穿設されている。なお、上記の如く組み付けられた架台１は、左右（前列梁材４、後列梁材５の長さ）×前後（母屋材６，６・・の長さ）＝９，３５０ｍｍ×３，９９０ｍｍになっている。
【００２８】
＜架台１の使用方法＞
上記の如く組み付けられた架台１（１ユニット）は、前後方向、左右方向に複数併設された状態で、図８の如く、母屋材６，６・・の上に扁平な矩形状の太陽電池モジュールＭ，Ｍ・・を設置して使用される。母屋材６，６・・への太陽電池モジュールＭ，Ｍ・・.の設置は、母屋材６，６・・に穿設されたモジュール螺着用孔（図示せず）の穿設部分と太陽電池モジュールＭ，Ｍ・・のボルト挿通孔（図示せず）の穿設部分とを、ボルトとナットとで螺着することによって行われる。上記の如く施工された架台１と太陽電池モジュールＭ，Ｍ・・とからなる太陽光発電設備は、西下がりに１０°傾斜した地盤Ｇの斜面に対して、前列梁材４、後列梁材５が平行に配置され、前列梁材４と地表との間隔が約４００ｍｍになっており、後列梁材５と地表との間隔が約８００ｍｍになっている。また、当該太陽光発電設備においては、太陽電池モジュールＭ，Ｍ・・が所定の角度（１０°）で前下がりに傾斜した状態（南側が下方に位置した状態）で設置されているため、地形の勾配に影響されることなく、効率良く発電することができる。
【００２９】
＜架台の効果＞
架台１は、上記の如く、前方支柱２，２および後方支柱３，３の上端に、水平面７ａと傾斜した支承面（第一支承面７ｂ、第二支承面７ｄ）とを有する梁留め金具（支承部材）７が、その水平面７ａを当着させた状態で固着されており、前列梁材４および後列梁材５が、その下面を梁留め金具７の支承面（第一支承面７ｂ、第二支承面７ｄ）に当着させて左右に傾斜した状態で、前方支柱２，２および後方支柱３，３の上端に固着されたものであるため、東西方向に傾斜している地盤Ｇにおいてもその傾斜に合わせて容易に設置することができる。また、梁材（前列梁材４、後列梁材５）の下端面が梁留め金具７の左右の支承面と接合した状態で、梁材（前列梁材４、後列梁材５）が梁留め金具７を介して支柱（前方支柱２，２、後方支柱３，３）に固着されているので、構造強度が高く、太陽光モジュールＭ，Ｍ・・を長期間に亘って確実に保持することができる。
【００３０】
また、架台１は、梁留め金具７が、同一平面をなす２つの支承面（第一支承面７ｂ、第二支承面７ｄ）を水平面７ａの左右に段違いに設けたものであり、梁留め金具７の形成が容易であるため、安価に製造することができる。また、支柱（前方支柱２，２、後方支柱３，３）の左右でバランス良く梁材（前列梁材４、後列梁材５）を支えることができるので、構造強度が非常に高い。
【００３１】
さらに、架台１は、前列梁材４および後列梁材５が、いずれもＨ形鋼であり、梁留め金具７の前後幅が、それらの前列梁材４および後列梁材５のフランジ１８の幅よりも広くなっているとともに、前方支柱２，２および後方支柱３，３の上端に、支持板である支持プレート１１が溶接されており、梁留め金具７が、前列梁材４あるいは後列梁材５の前後の外側において、支持プレート１１に螺着されているため、支柱（前方支柱２，２、後方支柱３，３）の上端の支持プレート１１と梁留め金具７との螺着位置を変更することによって、支柱（前方支柱２，２、後方支柱３，３）と梁材（前列梁材４、後列梁材５）との固着位置（螺着位置や溶接位置）が合致しない事態を回避して、構築を容易なものとすることができる。
【００３２】
また、架台１は、梁留め金具７の第一支承面７ａの幅（左右の長さ）と段差部７ｃを挟んだ第二支承面７ｄの幅（左右の長さ）とが等しくなっているため、左右の支承強度のバランスが良いので、きわめて長期間に亘って使用した場合でも変形しにくい。また、ボルト挿通長孔１３，１３の穿設位置から第一支承面７ａの内側端縁との距離と、ボルト挿通長孔１３，１３の穿設位置から第二支承面７ｄの内側端縁との距離とが等しくなっており、梁留め金具７と支持プレート１１との螺着部分（すなわち、ボルト挿通長孔１３，１３とボルト挿通長孔１２，１２とが重なり合った部分）にかかる左右のモーメントが等しいので、梁留め金具７と支持プレート１１との螺着部分が損傷しにくい。加えて、架台１は、梁留め金具（支承部材）７の段差部７ｃの幅（左右の長さ）が第二支承面７ｄの幅（左右の長さ）の０．７〜１．３倍（０．８５倍）の範囲内に調整されているので、梁材（前列梁材、後列梁材）の支承強度が高く、大量の積雪があった場合や、強風を受けた場合でも、変形したりしない。
【００３３】
＜架台の変更例＞
本発明に係る架台の構成は、上記した各実施形態の態様に何ら限定されるものではなく支柱（前方支柱、後方支柱）、梁材（前列梁材、後列梁材）、母屋材、支承部材、支持板等の構成を、本発明の趣旨を逸脱しない範囲で、必要に応じて適宜変更できる。
【００３４】
たとえば、支柱（前方支柱、後方支柱）は、上記実施形態の如き、円筒状の鋼管に限定されず、角パイプ、軽みぞ形鋼、Ｉ形鋼、Ｈ形鋼、Ｃ形鋼（軽みぞ形鋼の各辺の端縁を内向きに向かい合わせに折り返したもの）等に変更することができる。また、梁材（前列梁材、後列梁材）も、上記実施形態の如き、Ｈ形鋼に限定されず、角パイプ、Ｉ形鋼、軽みぞ形鋼、Ｃ形鋼等に変更することができる。さらに、母屋材も、上記実施形態の如き、軽みぞ形鋼に限定されず、角パイプ、Ｃ形綱、Ｉ形鋼、Ｈ形鋼等に変更することができる。
【００３５】
また、本発明に係る架台は、上記実施形態の如く、梁材（前列梁材、後列梁材）を西下がりに１０°傾斜するように設けたものに限定されず、梁材（前列梁材、後列梁材）の傾斜角度（東下がりも含めて）を適宜変更することができる。なお、そのように梁材（前列梁材、後列梁材）の傾斜角度を変更する場合には、その変更に合わせて、支承部材の２つの支承面の角度を変更する必要がある。加えて、本発明に係る架台は、上記実施形態の如く、各母屋材を前下がり（南下がり）に１０°傾斜するように設けたものに限定されず、母屋材の南北の傾斜角度を適宜変更することができる。
【００３６】
さらに、架台（１ユニット）は、上記実施形態の如く、１２本（６セット）の母屋材を設置したものに限定されず、必要に応じて母屋材の本数を変更することができる。また、架台は、上記実施形態の如く、すべての構成部材を鋼鉄によって形成したものに限定されず、構成部材の一部を鋳鉄やプラスチック等の別の材料で形成したものに変更することも可能である。
【００３７】
また、架台は、上記実施形態の如く、梁材（前列梁材、後列梁材）を２本の支柱で支えたものに限定されず、梁材(前列梁材、後列梁材)を支える支柱の本数を適宜変更することができる。さらに、架台は、上記実施形態の如く、前列梁材を支える支柱(前方支柱)の本数と後列梁材を支える支柱(後方支柱)の本数とが同数であるものに限定されず、前後の支柱の本数が異なるものでも良い。
【００３８】
一方、架台は、上記実施形態の如く、支持板（支持プレート）が支承部材（梁留め金具）を左右に位置調整可能であり、かつ、支承部材が支持板を前後に位置調整可能であるもの（すなわち、支持板に左右に長いボルト挿通長孔を設け、支承部材に前後に長いボルト挿通長孔を設けたもの）に限定されず、支持板が支承部材を前後に位置調整可能でありかつ、支承部材が支持板を左右に位置調整司能であるもの（すなわち、支持板に前後に長いボルト挿通長孔を設け、支承部材に左右に長いボルト挿通長孔を設けたもの）に変更することも可能である。
【００３９】
加えて、架台は、上記実施形態の如く、支承部材（梁留め金具）の第一支承面の幅（左右の長さ）と第二支承面の幅（左右の長さ）とが等しいものや、支承部材（梁留め金具）の段差部の幅（左右の長さ）を第二支承面の幅（左右の長さ）の０．７〜１．３倍に調整したものに限定されず、支承部材（梁留め金具）の水平面、第一支承面、段差部、第二支承面の幅を適宜変更することができる。
【産業上の利用可能性】
【００４０】
本発明に係る架台は、上記の如く優れた効果を奏するものであるので、太陽電池モジュール設置用の装置、部材として好適に用いることができる。
【符号の説明】
【００４１】
１・・架台
２・・前方支柱
３・・後方支柱
４・・前列梁材
５・・後列梁材
６・・母屋材
７・・梁留め金具（支承部材）
７ａ・・水平面
７ｂ・・第一支承面
７ｄ・・第ニ支承面
１１・・支持プレート（支持板）
１８・・フランジ
Ｍ・・太陽電池モジュール
【図２】
2017017937.tif 000003
【図３】
2017017937.tif 000004
【図４】
2017017937.tif 000005
【図５】
2017017937.tif 000006
【図６】
2017017937.tif 000007
【図７】
2017017937.tif 000008
【図１】
2017017937.tif 000009
【図８】
2017017937.tif 000010